(57)【要約】【課題】  電子透かし情報が埋め込まれた印刷原稿を複製する複製処理で該電子透かし情報を含む印刷原稿を高品質で簡単に複製できるようにした画像形成装置および複製方法を提供する。【解決手段】  印刷原稿を読取部１０１で読み取り、読み取った印刷原稿の電子透かし情報が示す各種情報を情報検出部１０２で検出し、その情報の複製許可レベル情報が複製許可を示すレベルであり、かつ同じく検出された装置情報が情報管理部１０６で管理した装置情報と一致すると判別部１０５が判別すると、印刷原稿の原画像を識別する原画像識別情報及び電子透かし情報を識別する電子透かし情報識別情報を元にしてデータ取得部１０４で取得する。取得した電子透かし情報に対する背景画像を電子透かし情報生成部１０８で生成し、複製制御部１０７で原画像と背景画像を合成して出力する。【選択図】図１
2007325195.tif 000002
【特許請求の範囲】
【請求項１】
原画像が印刷された印刷原稿に背景画像として電子透かし情報が印刷され、当該電子透かし情報に基づき前記印刷原稿の複製を行う画像形成装置において、
前記印刷原稿から原画像及び背景画像を読み取る読取手段と、
前記読取手段によって読み取った背景画像の前記電子透かし情報が表す前記原画像の識別情報及び当該背景画像の識別情報を検出する情報検出手段と、
前記情報検出手段で検出した識別情報を元に、前記原画像及び前記背景画像を取得する取得手段と、
前記取得手段で取得した前記原画像及び背景画像を合成して画像形成することにより前記印刷原稿を複製出力する複製手段と
を具備することを特徴とする画像形成装置。
【請求項２】
前記電子透かし情報に複製レベルを表す複製許可レベル情報を更に含み、
前記情報検出手段は、
前記電子透かし情報から複製許可レベル情報を検出し、
前記複製手段は、
前記情報検出手段で検出した複製許可レベル情報が示す複製レベルに基づき、前記取得手段で取得した前記原画像及び前記背景画像を複製出力する
ことを特徴とする請求項１記載の画像形成装置。
【請求項３】
前記複製手段は、
前記複製レベルが前記原画像及び前記背景画像の複製を禁止するレベルである場合、前記原画像及び前記背景画像の複製処理を停止する
ことを特徴とする請求項１または２記載の画像形成装置。
【請求項４】
前記複製手段は、
前記複製レベルが前記原画像及び前記背景画像の複製を許可するレベルである場合、認証情報による認証処理を行って複製出力する
ことを特徴とする請求項１または２記載の画像形成装置。
【請求項５】
前記電子透かし情報に前記印刷原稿を作成した装置を識別する装置情報を更に含み、
前記情報検出手段は、
前記電子透かし情報から前記装置情報を検出し、
前記複製手段は、
前記情報検出手段で検出した装置情報と同一の装置情報を有する装置での複製であるかを判断し、当該装置情報が一致した場合に前記原画像及び前記背景画像を複製出力する
ことを特徴とする請求項１記載の画像形成装置。
【請求項６】
原画像が印刷された印刷原稿に背景画像として電子透かし情報が印刷され、当該電子透かし情報に基づき前記印刷原稿の複製を行う複製方法において、
前記印刷原稿から原画像及び背景画像を読取手段で読み取り、
前記読取手段によって読み取った背景画像の前記電子透かし情報が表す前記原画像の識別情報及び該背景画像の識別情報を情報検出手段で検出し、
前記情報検出手段で検出した識別情報を元に、前記原画像及び前記背景画像を取得手段で取得し、
前記取得手段で取得した前記原画像及び背景画像を複製手段により合成して前記印刷原稿を複製出力する
ことを特徴とする複製方法。
【請求項７】
前記電子透かし情報に前記印刷原稿を作成した装置の装置情報を更に含み、
前記電子透かし情報から前記装置情報を前記情報検出手段で検出し、
前記情報検出手段で検出した装置情報と同一の装置情報を有する装置での複製であるかを判断し、当該装置情報が一致した場合に前記原画像及び前記背景画像を複製出力する
ことを特徴とする請求項６記載の複製方法。
【発明の詳細な説明】
【技術分野】
【０００１】
本発明は、電子透かし技術による透かし情報が埋め込まれた印刷原稿を複製する画像形成装置および複製方法に関し、特に、該透かし情報が埋め込まれた印刷原稿の複製処理を高品質でかつ特定の利用者のみが行えるようにした画像形成装置および複製方法に関する。
【背景技術】
【０００２】
電子文書を印刷出力することにより印刷原稿を作成する際に、不正コピーや改ざんを防止するとともに不正コピーされた場合における流出元を特定できるようにした技術がある。この技術として、例えば、電子文書に隠し文字となるグリフコードやトラストマーキングなどの電子透かし情報を合成して複製処理を行う。
【０００３】
この電子透かし情報は、人間が一見しただけでは見ることができない非可視状態で印刷原稿に埋め込まれており、複合機などを用いて複製処理を行う際に浮かび上がらせて複製が禁止された印刷原稿であることを示す情報である。
【０００４】
この電子透かし技術は、特許庁ホームページの標準技術集に公開されているようにさまざまな方法で電子透かし情報を埋め込むことができ、また、これらの方法を用いて埋め込まれた電子透かし情報をさまざまな方法で読み取ることができる。
【０００５】
一般に、電子透かし情報には、著作権情報や制御コードが含まれ、この電子透かし情報を読み取ることによって所定の処理を行うことができる。また、電子透かし情報が埋め込まれた印刷原稿の複製を防止するため及び印刷原稿が不正に複製された印刷原稿であることを示すために用いられる。
【０００６】
このような印刷原稿の不正な複製を防止できるようにした技術として、特許文献１に開示された従来技術がある。
【０００７】
この特許文献１にしめされた従来技術では、印刷原稿に埋め込まれた画像から出力禁止を表した禁止情報を検出し、また同時に読み取った画像データの出力（複製）禁止を解除する条件情報を検出することで禁止情報が付与された印刷原稿であってもその条件情報に基づく複製を行えるようにしている。
【特許文献１】特開２００３−２８０４６９
【発明の開示】
【発明が解決しようとする課題】
【０００８】
ところが、特許文献１に示された従来技術を用いて、複製処理を行った場合には禁止情報そのものは複製されずに読取画像のみが複製され、また、禁止情報をも複製した場合にはその禁止情報が可視可能な状態で印刷されてしまう。
【０００９】
また、上記するような電子透かし情報が埋め込まれた印刷原稿を正規の利用者、例えば、文書の管理者などが複製して特定の利用者に配布する場合、埋め込まれた電子透かし情報が浮き上がった状態で複製されてしまう事態や、印刷原稿の複製処理が禁止されることによって複製することができない事態が発生してしまう。
【００１０】
すなわち、必要なときに複製処理ができず、利便性が低下してしまうという問題がある。
【００１１】
この場合、その電子透かし情報が埋め込まれた印刷原稿の電子文書を用いて必要な枚数だけ印刷出力することで複製することができるが、これは、印刷原稿に対する電子文書を特定し、その電子文書の印刷出力が許可された状態で印刷出力を行うことになる。このような処理では、その印刷原稿を複製するまでに多くの時間を要することとなるばかりでなく、処理手順が増加し、利便性が大幅に低下するという問題がある。
【００１２】
そこで、本発明は、電子透かし情報が埋め込まれた印刷原稿を複製する複製処理で該電子透かし情報を含む印刷原稿を高品質で簡単に複製できるようにした画像形成装置および複製方法を提供することを目的とする。
【課題を解決するための手段】
【００１３】
上記目的を達成するため、請求項１の発明は、原画像が印刷された印刷原稿に背景画像として電子透かし情報が印刷され、当該電子透かし情報に基づき前記印刷原稿の複製を行う画像形成装置において、前記印刷原稿から原画像及び背景画像を読み取る読取手段と、前記読取手段によって読み取った背景画像の前記電子透かし情報が表す前記原画像の識別情報及び当該背景画像の識別情報を検出する情報検出手段と、前記情報検出手段で検出した識別情報を元に、前記原画像及び前記背景画像を取得する取得手段と、前記取得手段で取得した前記原画像及び背景画像を合成して画像形成することにより前記印刷原稿を複製出力する複製手段とを具備することを特徴とする。
【００１４】
また、請求項２の発明は、請求項１の発明において、前記電子透かし情報に複製レベルを表す複製許可レベル情報を更に含み、前記情報検出手段は、前記電子透かし情報から複製許可レベル情報を検出し、前記複製制御手段は、前記情報検出手段で検出した複製許可レベル情報が示す複製レベルに基づき、前記取得手段で取得した前記原画像及び前記背景画像を複製制御することを特徴とする。
【００１５】
また、請求項３の発明は、請求項１または２の発明において、前記複製制御手段は、前記複製レベルが前記原画像及び前記背景画像の複製を禁止するレベルである場合、前記原画像及び前記背景画像の複製処理を停止することを特徴とする。
【００１６】
また、請求項４の発明は、請求項１または２の発明において、前記複製制御手段は、前記複製レベルが前記原画像及び前記背景画像の複製を許可するレベルである場合、認証情報による認証処理を行って複製制御することを特徴とする。
【００１７】
また、請求項５の発明は、請求項１の発明において、前記電子透かし情報に前記印刷原稿を作成した装置を識別する装置情報を更に含み、前記情報検出手段は、前記電子透かし情報から前記装置情報を検出し、前記複製制御手段は、前記情報検出手段で検出した装置情報と同一の装置情報を有する装置での複製であるかを判断し、当該装置情報が一致した場合に前記原画像及び前記背景画像を複製することを特徴とする。
【００１８】
また、請求項６の発明は、原画像が印刷された印刷原稿に背景画像として電子透かし情報が印刷され、当該電子透かし情報に基づき前記印刷原稿の複製を行う複製方法において、前記印刷原稿から原画像及び背景画像を読取手段で読み取り、前記読取手段によって読み取った背景画像の前記電子透かし情報が表す前記原画像の識別情報及び該背景画像の識別情報を情報検出手段で検出し、前記情報検出手段で検出した識別情報を元に、前記原画像及び前記背景画像を取得手段で取得し、前記取得手段で取得した前記原画像及び背景画像を複製手段により合成して前記印刷原稿を複製出力することを特徴とする。
【００１９】
また、請求項７の発明は、請求項６の発明において、前記電子透かし情報に前記印刷原稿を作成した装置の装置情報を更に含み、前記電子透かし情報から前記装置情報を前記情報検出手段で検出し、前記情報検出手段で検出した装置情報と同一の装置情報を有する装置での複製であるかを判断し、当該装置情報が一致した場合に前記原画像及び前記背景画像を前記複製制御手段で複製することを特徴とする。
【発明の効果】
【００２０】
本発明によれば、印刷原稿に埋め込まれた電子透かし情報に当該印刷原稿の原稿データおよび透かし画像が格納された格納先アドレスをそれぞれ含み、複製処理時にこの電子透かし情報に含まれる格納先アドレスを読み取ることで原稿データおよび透かし画像を取得して、取得したこれらのデータを用いて複製処理を行うように構成したので、透かし画像が埋め込まれた印刷原稿を高品質で作成することができるようになるという効果を奏する。
【００２１】
また、埋め込む透かし画像を異なる透かし画像と差し替えて埋め込むことができるようにしたので、印刷原稿に対する最適な透かし画像を埋め込むことができるようになるという効果を奏する。
【００２２】
さらに、電子透かし情報に複製レベルを示す複製許可レベル情報を加えて埋め込むことで、複製に際して当該複製レベルに応じた複製処理を行うことができ、特定の利用者にのみその複製処理を許可することが可能になるという効果を奏する。
【発明を実施するための最良の形態】
【００２３】
以下、本発明に係わる画像形成装置および複製方法の一実施例を添付図面を参照して詳細に説明する。
【実施例】
【００２４】
図１は、本発明に係わる画像形成装置および複製方法を適用して構成した画像形成装置の装置構成図である。
【００２５】
図１において、画像形成装置は、原画像と電子透かし情報を示す背景画像とが印刷された印刷原稿の複製を行う装置であって、例えば、複合機や複写機などによって構成される。原画像は、印刷出力する印刷データの元となる画像データであり、また、背景画像は、電子透かし情報をトラストマーキングやグリフコードなどを用いて表した画像データであって、一見しただけでは認識できない非可視状態で埋め込まれている。
【００２６】
この画像形成装置は、ＬＡＮケーブルや専用線などの通信回線または無線によって管理サーバ（図示せず）と接続され、管理サーバはさまざまな原画像および電子透かし情報を記憶する。この管理サーバで管理された原画像には識別情報（以下、「原画像識別情報」という）が付与されており、この原画像識別情報を指定することで管理サーバ上の原画像を特定できる。
【００２７】
また、管理サーバで管理された電子透かし情報は、「禁複写」などの定型文字若しくは自由に定義した所定の情報であり、１つの電子透かし情報に複数の情報を設定して管理することができる。例えば、ある電子透かし情報では、電子透かし情報そのものを一意に識別する識別情報（以下、「電子透かし識別情報」という）や「禁複写」などの定型文字、「日付」、「作成者名称」、印刷された原画像の「原画像識別情報」、複製レベルを示す「複製レベル情報」が関連付けられて管理されている。この管理サーバで管理される電子透かし情報にも電子透かし識別情報が付与されており、原画像同様、この電子透かし識別情報を指定することで管理サーバ上の電子透かし情報を特定できる。
【００２８】
すなわち、複製対象である印刷原稿を形成する原画像と背景画像のうち、電子透かし情報を構成する背景画像を認識し、その電子透かし情報が示す各情報に基づいて複製処理を行う。
【００２９】
以下に、本願発明の画像形成装置１００の構成を示す。
【００３０】
図１に示す画像形成装置１００は、読取部１０１、情報検出部１０２、キャッシュ１０３、画像取得部１０４、判別部１０５、情報管理部１０６、複製制御部１０７、電子透かし情報生成部１０８、出力処理部１０９、表示部１１０を具備して構成される。
【００３１】
印刷原稿を複製する複製処理に際し、読取部１０１で複製対象の印刷原稿全体を読み取る。この読取部１０１で読み取った印刷原稿全体の画像データを構成する背景画像を情報検出部１０２に転送して、その背景画像が示す電子透かし情報を検出する処理を行う。
【００３２】
この情報検出部１０２では、背景画像が示す電子透かし情報を構成する原画像識別情報、電子透かし識別情報を少なくとも検出してキャッシュ１０３に記憶する。つまり、電子透かし情報には、原画像識別情報及び電子透かし識別情報が必ず含まれており、これに加えて、他のさまざまな情報を含むことができる。
【００３３】
以下の実施例では、電子透かし情報に「原画像識別情報」、「電子透かし識別情報」、印刷原稿を作成した画像形成装置を識別する「装置情報」、複製の状態を制限する複製レベルを示す「複製レベル情報」の４つの情報を含む場合について説明する。この場合、情報検出部１０２では原画像識別情報、電子透かし識別情報に加えて、装置情報と複製レベル情報をも検出することとなる。
【００３４】
ちなみに、キャッシュ１０３は一時的にデータを記憶するメモリ領域であって、出力処理部１０９による出力処理が終了するのと同時に記憶したデータを破棄する。
【００３５】
そして、電子透かし情報に含まれる各種情報をキャッシュ１０３に記憶すると、判別部１０５によって複製レベル情報、装置情報に基づく判別処理が行われる。この判別部１０５では、複製レベル情報によって示された複製レベルが複製を許可する「複製許可」であるか、または、複製を拒否する「複製拒否」であるか、または、特別な高品位での複製を許可する「高品位複製許可１」若しくは「高品位複製許可２」のいずれかであるかを判別する。それと同時に、装置情報が情報管理部１０６によって管理されている装置情報と同一であるかを判別する。
【００３６】
このときの情報管理部１０６は、不揮発性メモリなどによって構成され、画像形成装置１００に設定された装置情報やネットワーク識別情報、さらにユーザ認証情報（例えば、「パスワード」）などを記憶する。この装置情報は、画像形成装置１００を一意に識別する情報であって、例えば、ＭＡＣアドレスやシリアル番号である。
【００３７】
判別部１０５が判別した複製レベル情報によって示される複製レベルが「複製拒否」である場合または装置情報が管理された装置情報と同一でない場合のいずれかの場合には、その旨を複製制御部１０７に通知して複製制御部１０７が複製処理を中止する。このとき、表示部１１０に複製処理が中止されたことを表示する。この複製レベルが「複製拒否」であるということは印刷原稿の複製そのものが拒否されていることを示しており、装置情報が同一でないということは異なる画像形成装置で作成された印刷原稿であることを示している。
【００３８】
それに対して、判別部１０５で判別した複製レベルが高品位での複製を許可する「高品位複製許可１」、「高品位複製許可２」のいずれかの場合であって、かつ、装置情報が情報管理部１０６で管理した装置情報と同一である場合には、複製制御部１０７にその旨を通知して複製制御部１０７が表示部１１０にパスワード入力画面を表示させる。表示されたパスワード入力画面上にパスワードが入力されるとその入力されたパスワードと情報管理部１０６で管理したパスワードが一致するか判断し、一致した場合に認証する。一致しない場合には、複製レベルが「複製許可」である場合の処理を行う（後述）。
【００３９】
パスワード認証が行われたことが複製制御部１０７から判別部１０５に通知されると、判別部１０５は、画像取得部１０４に画像取得要求を行い、画像取得部１０４がキャッシュ１０３に記憶された原画像識別情報と電子透かし識別情報とを読み出す。
【００４０】
画像取得部１０４では、読出した原画像識別情報、電子透かし識別情報に基づき、画像形成装置１００に接続された管理サーバからその原画像識別情報と電子透かし識別情報が示す原画像と電子透かし情報とをそれぞれ取得する。
【００４１】
管理サーバから取得した原画像と電子透かし情報を複製制御部１０７が制御することにより印刷原稿の複製を行う。この複製制御部１０７では、判別部１０５から通知された複製レベル（「高品位複製許可１」または「高品位複製許可２」）に応じて処理を行う。
【００４２】
まず、通知された複製レベルが「高品位複製許可１」である場合、複製制御部１０７では、電子透かし情報生成部１０８に画像取得部１０４で取得した電子透かし情報を転送してその電子透かし情報に対する背景画像の生成を要求する。この「高品位複製許可１」が示す複製レベルは、複製対象の印刷原稿の状態をそのまま複製することを示し、すなわち、電子透かし情報の背景画像として埋め込まれた情報は、同一の背景画像として複製することを示すレベルである。
【００４３】
そして、電子透かし情報生成部１０８で電子透かし情報に対する背景画像が生成されると、複製制御部１０７では、画像取得部１０４で取得した原画像と合成することにより印刷出力する画像データを作成する。続いて、その画像データを出力処理部１０９へと転送することで印刷出力する。このときの電子透かし情報生成部１０８は、濃度パターン法や画素空間利用法などを用いて電子透かし情報に対する背景画像を生成する。
【００４４】
次に、判別部１０５から通知された複製レベルが「高品位複製許可２」である場合、複製制御部１０７では、表示部１１０に画像取得部１０４で取得した電子透かし情報と、差し替える新たな電子透かし情報の一覧を表示させる。操作者は、差し替える情報若しくは新たに追加する情報を指定することができる。操作者によって指定された新たな電子透かし情報は、複製制御部１０７から電子透かし情報生成部１０８に転送され、その電子透かし情報生成部１０８でその電子透かし情報に対する背景画像を生成する。
【００４５】
また、この複製制御部１０７では、差し替える電子透かし情報を自動的に求めて電子透かし情報生成部１０８でその電子透かし情報に対する背景画像を生成するように構成してもよい。例えば、「日付」情報などを電子透かし情報に含む場合には、システム日付を自動的に求めて電子透かし情報生成部１０８に転送することで生成する。
【００４６】
この差し替え処理は、複製制御部１０７から画像取得部１０４に新たな電子透かし情報の取得要求を行い、取得要求を受けた画像取得部１０４が管理サーバにアクセスすることで差し替えをする新たな電子透かし情報を取得することでも行うことができる。
【００４７】
このようにして作成した背景画像を画像取得部１０４で取得した原画像と合成して印刷出力する画像データを作成する。続いて、その画像データを出力処理部１０９へと転送することで印刷出力する。
【００４８】
そして、判別部１０５で判別した複製レベルが「複製許可」である場合であってかつ、装置情報が同一である場合には、判別部１０５から読取部１０１に対して読み取った印刷原稿全体の画像データを出力処理部１０９に転送するように指示する。読取部１０１で読み取った印刷原稿全体の画像データは、背景画像が浮き上がった状態であり、これを出力処理部１０９で印刷出力する。
【００４９】
すなわち、この「複製許可」が示す複製レベルは、電子透かし情報を浮かび上がらせて原画像と同様に印刷出力することを示している。
【００５０】
以上に示すように、判別部１０５での判別結果に基づいてそれぞれ複製処理が行われる。
【００５１】
ちなみに、この出力処理部１０９は、プリンタエンジンなどによって構成され、複製制御部１０７で処理された画像データを印刷出力することで印字原稿を複製する。
【００５２】
このような構成によって、印刷原稿の背景画像として埋め込まれた電子透かし情報に基づく複製処理を行うことができる。
【００５３】
図２は、複製レベルに基づいて行われる複製処理により複製される印刷原稿の例を示す図である。
【００５４】
図２において、図２（ａ）は、複製対象となる印刷原稿を示す図であり、図２（ｂ）、図２（ｃ）、図２（ｄ）は図２（ａ）に示す印刷原稿を複製レベルに基づいて複製処理を行って複製された印刷原稿を示す図である。
【００５５】
図２（ｂ）は、複製レベルが「複製許可」で複製した印刷原稿であり、図２（ｃ）は、複製レベルが「高品位複製許可１」で複製した印刷原稿であり、図２（ｄ）は、複製レベルが「高品位複製許可２」で複製した印刷原稿である。
【００５６】
図２（ａ）に示す複製対象となる印刷原稿には、「テスト文字列」という原画像と「禁複写  2005/12/31」という電子透かし情報の背景画像が印刷されている。この印刷原稿を複製レベル「複製許可」で複製処理すると、図２（ｂ）に示すように背景画像の「禁複写  2005/12/31」という電子透かし情報が浮き上がった状態で複製される。
【００５７】
また、複製レベル「高品位複製許可１」で複製処理すると、図２（ｃ）に示すように背景画像の「禁複写  2005/12/31」が背景画像として高品位で複製される。さらに、複製レベル「高品位複製許可２」で複製処理すると、図２（ｄ）に示すように背景画像の「禁複写  2005/12/31」が他の背景画像の「複写禁  2006/01/11」と差し替わった状態で複写される。
【００５８】
ちなみに、複製レベルが「複製拒否」である場合には、複製処理そのものが中止されるため、「テスト文字列」という原画像そのものも複製されない。
【００５９】
図３は、本願発明における画像形成装置の複製処理における処理の流れを示すフローチャートである。
【００６０】
図３において、電子透かし情報が背景画像として埋め込まれた印刷原稿に対して複製処理が指示されると処理が開始され、印刷原稿を読み取り（３０１）、印刷原稿の背景画像として埋め込まれた電子透かし情報を検出する検出処理を行う（３０２）。この検出処理によって、電子透かし情報が検出されたか判断して（３０３）、検出できない場合（３０３でＮＯ）には複製処理を継続できないとして終了する。
【００６１】
それに対して、電子透かし情報が検出された場合（３０３でＹＥＳ）には、その電子透かし情報に含まれる複製レベル情報が示す複製レベルを特定する処理を行い、各複製レベルに応じた複製処理を行う。
【００６２】
まず、検出した電子透かし情報が示す複製レベル情報が「複製拒否」を示しているかを判断する（３０４）。複製レベルが「複製拒否」である場合（３０４でＹＥＳ）には、印刷原稿の複製そのものが拒否されているため以降の複製処理を行わず処理を終了する。
【００６３】
それに対して、複製レベル情報が示す複製レベルが「複製拒否」でない場合（３０４でＮＯ）、すなわち、複製レベルが「複製許可」または「高品位複製許可１」または「高品位複製許可２」のいずれかの場合には、続いて、検出した電子透かし情報に含まれる装置情報が複製処理を行う画像形成装置の装置情報と同一であるか判断する（３０５）。同一でない場合（３０５でＮＯ）には、他の画像形成装置によって作成された印刷原稿であると判断して複製処理を終了する。
【００６４】
反対に、装置情報が同一である場合（３０５でＹＥＳ）には、上記処理により判断した複製レベルに続いて、次に、複製レベル情報が示す複製レベルが「複製許可」であるかを判断する（３０６）。複製レベル情報が示す複製レベルが「複製許可」である場合（３０６でＹＥＳ）には、読み取った印刷原稿を印刷出力することで通常の複製処理を行う（３０７）。
【００６５】
複製レベル情報が示す複製レベルが「複製許可」でない場合（３０６でＮＯ）、すなわち、「高品位複製許可１」または「高品位複製許可２」のいずれかの場合には、パスワード認証を行う（３０８）。高品位での複製処理は、その複製物の特性から不特定多数のユーザに対して複製を許可するのではなく、特定の限られたユーザに対してのみ許可する必要がある。このため、パスワード認証を行う。
【００６６】
そして、このパスワード認証を行った結果、パスワード認証が行われたか判断し（３０９）、パスワードが不正であったりパスワード認証がキャンセルされたりすることでパスワード認証が不成立である場合（３０９でＮＯ）には、複製レベルが「複製許可」である場合の複製処理を行う。これにより、高品位複製は行えないが複製処理が中止されることなく継続して複製処理が行われる。
【００６７】
また、パスワード認証が成立した場合（３０９でＹＥＳ）には、高品位複製が許可されたことになるため、高品位複製を行うための原画像と電子透かし情報とを電子透かし情報から検出した原画像識別情報、電子透かし識別情報に基づいて管理サーバから取得する（３１０）。
【００６８】
続いて、高品位複製を行うにあたり、複製レベルが「高品位複製許可１」であるか「高品位複製許可２」であるかを判断する。そのため、複製レベル情報が「高品位複製許可１」であるか判断し（３１１）、「高品位複製許可１」でないと判断された場合（３１１でＮＯ）には、複製レベルが「高品位複製許可２」であることを示す。
【００６９】
そこでまず、複製レベルが「高品位複製許可１」である場合（３１１でＹＥＳ）には、先の処理で取得した電子透かし情報に対する背景画像を生成する（３１２）。
【００７０】
それに対して、複製レベルが「高品位複製許可２」である場合（３１１でＮＯ）には、「高品位複製許可２」における背景画像の生成処理を行う（３１３）。この「高品位複製許可２」における背景画像の生成処理の詳細な処理の流れを図４、図５のフローチャートで示す。
【００７１】
上記、いずれの処理により生成された背景画像を取得した原画像と合成することにより印刷出力を行う画像データを作成する（３１４）。作成した画像データを印刷出力することにより複製対象の印刷原稿が複製される（３１５）。
【００７２】
以上に示すような処理の流れにより、複製対象の印刷原稿に埋め込まれた電子透かし情報に基づいて複製処理を制御することができる。
【００７３】
図４は、複製レベル情報が「高品位複製許可２」の場合における複製処理の流れを示すフローチャートである。
【００７４】
図４に示すフローチャートは、図３に示すフローチャートの複製レベル情報を判断する判断処理で、複製レベルが「高品位複製許可２」であると判断された場合に、ユーザが指定した新たな電子透かし情報へと差し替えて背景画像を生成する処理である。
【００７５】
まず、ユーザが差し替える情報を指定する画面を画像形成装置の表示部に表示させ（４０１）、ユーザによる操作を受け付ける。その操作によって差し替えて新たな電子透かし情報として埋め込む情報が指定されると、次に、その情報に対する背景画像を生成する（４０２）。
【００７６】
これにより、指定した情報を電子透かし情報として複製後の印刷原稿に埋め込むことができる。
【００７７】
図５は、複製レベル情報が「高品位複製許可２」の場合における他の複製処理の流れを示すフローチャートである。
【００７８】
図５に示すフローチャートは、図３に示すフローチャートの複製レベル情報を判断する判断処理で、複製レベルが「高品位複製許可２」であると判断された場合に、自動的に新たな電子透かし情報へと差し替えて背景画像を生成する処理である。
【００７９】
例えば、電子透かし情報を構成する日付情報などはその電子透かし情報を作成する作成日の情報をシステム日付から取得することによって自動的に作成される電子透かし情報である。
【００８０】
まず、予め指定された日付情報などの自動的に差し替え可能な情報に対するデータを自動的に取得し（５０１）、次に、その情報に対する背景画像を生成する（５０２）。
【００８１】
これにより、自動的に取得した情報を電子透かし情報として複製後の印刷原稿に埋め込むことができる。
【００８２】
以上に示すような構成、処理によって、本願発明では、複製対象の印刷原稿に埋め込まれた電子透かし情報に基づいて複製処理を制御することができる。
【００８３】
従って、本発明を適用することにより、印刷原稿を簡単に高品質で複製することができるようになるという効果を奏する。
【００８４】
また、特定のユーザに対してのみ複製を許可でき、安易に印刷原稿が複製されることをできる。
【００８５】
本発明は、上記し、且つ図面に示す実施例に限定することなく、その要旨を変更しない範囲内で適宜変形して実施できるものである。
【００８６】
例えば、上記実施例では、電子透かし情報に複製対象となる印刷原稿を作成した装置の装置情報を含み、その装置情報が複製処理を行う画像形成装置の装置情報と等しい場合に複製処理を行うように構成しているが、装置情報が異なる場合や装置情報を電子透かし情報に含まない場合であっても複製処理を継続できるようにしてもよい。
【産業上の利用可能性】
【００８７】
本発明は、電子透かし情報の透かし画像を含めた印刷原稿の複製処理に適用可能であり、特に、特定の利用者にのみその複製処理を行えるようにするのに有用である。
【図面の簡単な説明】
【００８８】
【図１】本発明に係わる画像形成装置および複製方法を適用して構成した画像形成装置の装置構成図。
【図２】複製レベル情報に基づいて行われる複製処理により複製される印刷原稿の例を示す図。
【図３】本願発明における画像形成装置の複製処理における処理の流れを示すフローチャート。
【図４】複製レベル情報が「高品位複製許可２」の場合における複製処理の流れを示すフローチャート。
【図５】複製レベル情報が「高品位複製許可２」の場合における他の複製処理の流れを示すフローチャート。
【符号の説明】
【００８９】
１００      画像形成装置（複合機）
１０１      読取部
１０２      情報検出部
１０３      キャッシュ
１０４      画像取得部
１０５      判別部
１０６      情報管理部
１０７      複製制御部
１０８      電子透かし情報生成部
１０９      出力処理部
１１０      表示部
【図１】
2007325195.tif 000003
【図２】
2007325195.tif 000004
【図３】
2007325195.tif 000005
【図４】
2007325195.tif 000006
【図５】
2007325195.tif 000007